(57)【要約】      （修正有）【課題】軽量・安価に製造・組立でき、テーブルに簡単に取り付けて空間を難なく仕切るコンパクト設計の卓上仕切りを提供する。【解決手段】コンパクト設計の卓上仕切りは、伸縮自在なテレスコピック機構により組立てられる左右一対の支柱１と、下端部で支持しつつテーブル４に固定される支持体２と、支柱１の上端部１４で水平方向に接続される吊下げ棒３で成る。支柱１は、下端部が雄ネジの支柱雄ネジ、上端部に横向き雌ネジの支柱雌ネジが形成されている。支持体２は、テーブル４の天板４０を挟み込んで固定自在なクランプで構成され、上部中央が雌ネジの支持体雌ネジに形成されて支柱雄ネジが螺合する。吊下げ棒３は、基端部が雄ネジの吊下げ棒雄ネジに形成されて支柱雌ネジに螺合する。支持体２で支持された左右の支柱１の上端部１４で吊下げ棒３が水平状に配置される組立て時に、ビニール等の軽量な仕切り部材が上部クリップ３１を介して吊下げ棒３に吊下げ自在である。【選択図】図１
0003229828.tif 000002
【実用新案登録請求の範囲】
【請求項１】
組立て完成時には仕切り部材によってテーブルや机の上の空間が仕切られ、収納時には最小化される卓上仕切りであって、
外管と内管が重合して伸縮するテレスコピック機構によって所望の高さに組立てられる左右一対の支柱と、その支柱を各々下端部で支持しつつテーブルや机に固定される支持体と、前記支柱の上端部で水平方向に接続される吊下げ棒で成り、
前記支柱は、下端部が雄ネジの支柱雄ネジに形成されていると共に、上端部には横向き雌ネジの支柱雌ネジが形成され、
前記支持体は、テーブルや机の天板を挟み込んで固定自在なクランプで構成され、かつ当該クランプの上部中央が雌ネジの支持体雌ネジに形成されて前記支柱雄ネジが螺合自在であり、
前記吊下げ棒は、基端部が雄ネジの吊下げ棒雄ネジに形成されて前記支柱雌ネジに各々螺合自在であり、
前記支持体で支持された左右の支柱の上端部で吊下げ棒が水平状に配置される門型の組立て完成時には、ビニール等の軽量な仕切り部材が前記吊下げ棒に吊下げ自在に構成されていることを特徴とする、コンパクト設計の卓上仕切り。
【請求項２】
前記支持体が、クランプに代わって、直線状の平板で構成され、その中央部が若干上方に突き出す平坦な突出平坦面に形成され、その突出平坦面の中央に雌ネジの支持体雌ネジが形成されて前記支柱の支柱雄ネジが螺合自在であることを特徴とする、請求項１に記載したコンパクト設計の卓上仕切り。
【請求項３】
前記吊下げ棒は、左右の端部棒体と、その中間の中間棒体の複数本に分割され、各々接続自在な棒体の組合せで成ることを特徴とする、請求項１に記載したコンパクト設計の卓上仕切り。
【請求項４】
前記吊下げ棒には、仕切り部材を吊下げ自在な上部クリップが備わっていることを特徴とする、請求項１又は３に記載したコンパクト設計の卓上仕切り。
【請求項５】
前記仕切り部材が、ビニールに代わって、布又は紙であることを特徴とする、請求項１又は４に記載したコンパクト設計の卓上仕切り。
【請求項６】
前記支柱は、テレスコピック機構に代わって、各々接続自在な複数本の分割棒体の組合せで成ることを特徴とする、請求項１又は２に記載したコンパクト設計の卓上仕切り。
【請求項７】
前記吊下げ棒には、仕切り部材に代わって、ＰＯＰ類の掲示物が吊下げられることを特徴とする、請求項１又は３又は４又は５に記載したコンパクト設計の卓上仕切り。
【考案の詳細な説明】
【技術分野】
【０００１】
本考案は、コンパクト設計の卓上仕切りに関し、さらに言えば、ウィルス感染の拡大を防止するために、各種店舗や展示場、オフィス等のテーブルや机上の仕切りとしてコンパクトかつ簡便に設置し、不使用時には小さく分解して収納・運搬が可能な卓上仕切りの技術分野に属するものである。
【背景技術】
【０００２】
特に近年、感染力が強い新型コロナウィルスが流行し、その感染拡大を防止するために各種仕切り（パーテーション）が開発されている。
例えば、特許文献１には、台設置用の自立する仕切りであって、透明な仕切り板２と、仕切り板に取り付けられた脚部３からなり、台と仕切り板の間が離れている仕切りが開示されている。この仕切り板の材料も、透明な樹脂で、例えばアクリル樹脂（メタクリル樹脂）、ポリカーボネートが使われる。
【０００３】
それ以前にも感染症を防ぐために、例えば特許文献２のような対面用防護パネルが開示されている。これは、対面用防護パネル本体１は、ウィルス等を防護する役割を有する透視可能なシールド具２と、このシールド具２の土台の役割を有する保持部材３とで構成する。シールド具２は、対面販売や対面接客するための対面位置に載置可能に設ける。このシールド具２は、ポリカーボネートやポリエチレンテレフタレート、アクリルなどの樹脂等の透明、或は、半透明素材が使用される。シールド具２は、対面位置を遮蔽する正面板４と左面板５と、右面板６と、上面板７とを有しており、正面側、左右両側、上面側の四方を囲う構成になっている。
また、保持部材３として、シールド具２の正面板４と左右面板５、６とを保持可能に、略コ字形状に形成され、正面板４と左右面板５、６とを保持する部分には、各板の下端側の一部を嵌め込むことが可能な溝部１４が形成されている。また、保持部材３におけるシールド具２の開口部８が対応する位置には切欠部１５が形成されている。この切欠部１５により、保持部材３にシールド具２を嵌め込んだ際には、開口部８の開口部分が確保され、また、蓋部材９を可動して開口できるようになっている。
【先行技術文献】
【特許文献】
【０００４】
【特許文献１】実用新案登録第３２２７４２９号公報
【特許文献２】実用新案登録第３１５２４９３号公報（図１）
【考案の概要】
【考案が解決しようとする課題】
【０００５】
前記特許文献２の防護パネルの場合、シールド具が大きい上、高価なポリカーボネートやポリエチレンテレフタレート、アクリルなどの樹脂等の透明又は半透明素材が使用されるので、製造コストがかかる。しかも、前記シールド具を保持するために、略コ字形状のがっちりした保持部材３も必要で、大掛かりな構造であって、これらの構成部品を製作するのが面倒で煩わしいといった問題がある。
また、特許文献１に係る台設置用仕切りも、透明なアクリル樹脂（メタクリル樹脂）、ポリカーボネート製の透明な仕切り板２が必要で製造コストの高騰が余儀なくされる。この仕切り板２の両サイドに固定される脚部３も大きく堅固で、分解して持ち運べる構造ではない。
【０００６】
したがって、本考案の目的は、軽量かつ安価に製造でき、組み立ても簡単で、仕切る必要のあるテーブルや机に簡単に取り付けられ、対面又は側面同士で空間を難なく仕切ることができる上、不要時には小さく分解して最小サイズで収納・運搬が可能な使い勝手に優れたコンパクト設計の卓上仕切りを提供することにある。
【課題を解決するための手段】
【０００７】
上記課題を解決するための手段として、請求項１記載の考案のコンパクト設計の卓上仕切りは、組立て完成時には仕切り部材５によってテーブル４や机の上の空間６が仕切られ、収納時には最小化される卓上仕切りであって、
外管と内管が重合して伸縮するテレスコピック機構によって所望の高さに組立てられる左右一対の支柱１、１と、その支柱１を各々下端部１３で支持しつつテーブル４や机に固定される支持体２と、前記支柱１の上端部１４で水平方向に接続される吊下げ棒３で成り、
前記支柱１は、下端部が雄ネジの支柱雄ネジ１０に形成されていると共に、上端部には横向き雌ネジの支柱雌ネジ１２が形成され、
前記支持体２は、テーブル４や机の天板４０を挟み込んで固定自在なクランプ２Ａで構成され、かつ当該クランプ２Ａの上部中央が雌ネジの支持体雌ネジ２０に形成されて前記支柱雄ネジ１０が螺合自在であり、
前記吊下げ棒３は、基端部が雄ネジの吊下げ棒雄ネジ３０に形成されて前記支柱雌ネジ１２に各々螺合自在であり、
前記支持体２で支持された左右の支柱１、１の上端部１４、１４で吊下げ棒３が水平状に配置される門型の組立て完成時には、ビニール等の軽量な仕切り部材５が前記吊下げ棒３に吊下げ自在に構成されていることを特徴とする。
【０００８】
請求項２記載の考案は、請求項１に記載したコンパクト設計の卓上仕切りについて、前記支持体２が、クランプ２Ａに代わって、直線状の平板２Ｂで構成され、その中央部が若干上方に突き出す平坦な突出平坦面２１に形成され、その突出平坦面２１の中央に雌ネジの支持体雌ネジ２０が形成されて前記支柱１の支柱雄ネジ１０が螺合自在であることを特徴とする。
【０００９】
請求項３記載の考案は、請求項１に記載したコンパクト設計の卓上仕切りについて、前記吊下げ棒３は、左右の端部棒体３２、３２と、その中間の中間棒体３３の複数本に分割され、各々接続自在な棒体の組合せで成ることを特徴とする。
【００１０】
請求項４記載の考案は、請求項１又は３に記載したコンパクト設計の卓上仕切りについて、前記吊下げ棒３には、仕切り部材５を吊下げ自在な上部クリップ３１が備わっていることを特徴とする。
【００１１】
請求項５記載の考案は、請求項１又は４に記載したコンパクト設計の卓上仕切りについて、前記仕切り部材５が、ビニールに代わって、布又は紙であることを特徴とする。
【００１２】
請求項６記載の考案は、請求項１又は２に記載したコンパクト設計の卓上仕切りについて、前記支柱１は、テレスコピック機構に代わって、各々接続自在な複数本の分割棒体１５の組合せで成ることを特徴とする。
【００１３】
請求項７記載の考案は、請求項１又は３又は４又は５に記載したコンパクト設計の卓上仕切りについて、前記吊下げ棒３には、仕切り部材５に代わって、ＰＯＰ類の掲示物が吊下げられることを特徴とする。
【考案の効果】
【００１４】
本考案の請求項１に係るコンパクト設計の卓上仕切りは、伸縮自在なテレスコピック機構によって所望の高さに組立てられる左右一対の支柱と、その支柱を各々下端部で支持しつつテーブルや机に固定される支持体と、支柱の上端部で水平方向に接続される吊下げ棒で成るので、支持体で支持された左右の支柱の上端部で吊下げ棒が水平状に配置される門型の組立て完成時には、ビニール等の軽量な仕切り部材（請求項５参照）が吊下げ棒に簡単に吊下げて仕切ることができて、誰でも取り扱い易く便利である。各構成部品も軽量かつ安価で製造コストの低減にも寄与する。不要時には小さく分解して最小サイズに収納して持ち運べる使い勝手にもれている。
【００１５】
また、請求項２のように、支持体をクランプに代わって、直線状の平板でも実施できる自在性に優れている。
しかも、請求項３のように、吊下げ棒は、左右の端部棒体と、その中間の中間棒体の複数本に分割され、各々接続自在な棒体の組合せで実施できるので、分解して嵩張らないで持ち運べられ、現地での組み立ても簡単に行える。
そして、請求項４のように、吊下げ棒には、仕切り部材を吊下げ自在な上部クリップが備わっているから、この上部クリップを利用して、仕切りに有効なビニール等を簡単に取り付けられる。また、そのようなビニールに代えて、布又は紙で仕切り材を実施できる自在性にも優れている。
さらに、前記支柱は、テレスコピック機構に代えて、請求項６のように各々接続自在な複数本の分割棒体の組合せも可能であり、設置場所に適した支柱で実施できる自在性にも優れている。
加えて、請求項７のように、吊下げ棒に吊下げられるのは、仕切り部材のほかに、ＰＯＰ類の掲示物が吊下げられて便利である。
【図面の簡単な説明】
【００１６】
【図１】本発明のコンパクト設計の卓上仕切りの使用状態を示した斜視図である。
【図２】Ａ〜Ｅは、コンパクト設計の卓上仕切りの構成部品を示している。Ａは、テレスコピック機構の支柱を示した正面図、Ｂは、２分割された分割棒体で成る支柱の各正面図、Ｃは、吊下げ棒を分割して示した各正面図、Ｄは、クランプで成る支持体を示した平面図と側面図と正面図、Ｅは、平板で成る支持体を示した平面図と正面図と側面図である。
【図３】卓上仕切りのテーブルへの設置状態を示した正面図である。
【図４】支持体（クランプ）に取り付けた支柱の伸長状態を示した正面図である。
【図５】卓上仕切りの組立て状態（最大高さ）を示した正面図である。
【図６】図５の卓上仕切りの最小高さ状態を示した平面図と正面図である。
【図７】支持体が平板で成る卓上仕切りの組立て状態（最大高さ）を示した正面図である。
【図８】図７の卓上仕切りの最小高さ状態を示した平面図と正面図である。
【図９】支柱が分割棒体、支持体がクランプで成る卓上仕切りの組立て状態を示した平面図と正面図である。
【図１０】図９の支持体が平板で成る卓上仕切りの組立て状態を示した平面図と正面図である。
【考案を実施するための最良の形態】
【００１７】
本考案に係るコンパクト設計の卓上仕切りの好適な実施形態を、図面にしたがって説明する。
このコンパクト設計の卓上仕切りは、図１に示したような支持体２で支持された左右の支柱１、１の上端部１４、１４で吊下げ棒３が水平状に配置される門型の組立て完成時には、ビニールや布又は紙等の軽量な仕切り部材５を前記吊下げ棒３に吊下げ、その仕切り部材５によってテーブル４の上の空間６、６が仕切られ、収納・運搬時には最小化されるものである。
なお、本実施形態ではテーブル４での適用例を示すが、机や座卓等でも同様に好適に実施される。また、前記ビニール等の仕切り部材５に代わって、ＰＯＰ類の掲示物を吊下げることもできる（図示は省略）。
【００１８】
この卓上仕切りは、図２に構成部品を各々示したように、外管と内管が重合して伸縮するテレスコピック機構によって所望の高さに組立てられる左右一対の支柱１、１（図２Ａでは片方のみ表示）と、その支柱１を各々下端部１３で支持しつつテーブル４に固定されるクランプの支持体２（図２Ｄでは片方のみ表示）と、前記支柱１の上端部１４で水平方向に接続される吊下げ棒３（図２Ｃ）で基本的に構成されている。なお、後述するように、前記テレスコピック機構の支柱１（図２Ａ）の代わりに、図２Ｂに示した分割棒体１５でも実施される。また、支持体２は、前記クランプ２Ａ（図２Ｄ）で実施する代わりに、図２Ｅに示した平板２Ｂでも実施される。
【００１９】
支柱１について、以下に説明する（図２Ａ、図４等）。
この支柱１は、図２Ａに図示したように、本体が外管と内管が重合して約２６ｃｍ程度の最小時から最大１２０ｃｍ程度に伸縮自在な、鉄製又はステンレス製丸棒（最大φが１．３ｃｍ程度、最小φが０．６ｃｍ程度）で成る（図３〜図８参照）。前記支柱１の下端部１３が、下方に突出した雄ネジの支柱雄ネジ１０に形成されている。上端部１４には、横向き雌ネジの支柱雌ネジ１２が形成されている。
或いは、この伸縮自在な支柱１を、図１Ｂ、図９、図１０に示したような２本の分割棒体１５、１５で実施する形態も採用される。その場合、１本の分割棒体１５の長さは約４０ｃｍ程度であり、それを２本簡便に接続して使用される。よって、最大長さが８０ｃｍ程度となる。下方に配置の分割棒体１５の下端部に前記同様の雄ネジの支柱雄ネジ１０が形成され、その上端部１７は雌ネジ１６に形成されている。上方に配置の分割棒体１５の下端部に、前記下方配置の分割棒体１５の雌ネジ１６に螺合自在な雄ネジの支柱雄ネジ１８が形成され、その上端部１４には、横向き雌ネジの支柱雌ネジ１２が形成されている。なお、本実施形態のように、２本の分割棒体１５の限りでなく、３本以上の複数本でも勿論実施可能である。
【００２０】
前記雌ネジの支柱雌ネジ１２について、支柱１の上端部１４に円柱状の上端接続体１１（直径が１．１ｃｍ程度）を取り付け、その上端接続体１１に、平面方向視が４５°の等間隔で支柱雌ネジ１２を４ケ所形成する実施形態が好ましい。最大４本の吊下げ棒３が、その吊下げ棒雄ネジ３１を前記支柱雌ネジ１２に螺合して各々他の支柱１で支持可能であり、前記各吊下げ棒３に吊下げられる仕切り部材５により最大４つの空間６を仕切ることができる（図示は省略）。
【００２１】
次に、支持体２について説明する（図２Ｄ、Ｅ等）。
この支持体２は、テーブル４の天板４０を挟み込んで固定自在なクランプ２Ａで成り、当該クランプ２Ａの上部中央が雌ネジの支持体雌ネジ２０に形成されて前記支柱雄ネジ１０が螺合自在に構成されている。
前記クランプ２Ａは、図２Ｄに示したように、テーブル４の天板４０の側方端部を上下から挟み込めるように、天板４０の端部上面に沿う水平な上片２０（約２ｃｍ角）と、天板４の端部下面に沿う水平な下片２３（約２ｃｍ角）とが、両者を連結する垂直な連結片８１ｃ（約１０ｃｍ程度）で一体的なコ字状に構成されている。前記上片２０の中央が雌ネジの支持体雌ネジ２０に形成されていて、前記支柱雄ネジ１０が螺合自在になっている。一方、前記下片の中央に穿設された通孔２２に、蝶ナット２７を有する調整ネジ２６が下方から挿通され、その調整ネジ２６の上端部には挟み込む挟み込み片２８が設けられている。この挟み込み片２８と前記上片２５との間で、天板４０の厚さ（例えば、約１．６〜３．４ｃｍ程度）に応じて、各種の天板４０を挟み込むことができる（図３）。
【００２２】
但し、前記支持体２は、前記クランプ２Ａに代わって、図２Ｅに示したような直線状の平板２Ｂでも好適に実施される。鉄製で厚さが０．３ｃｍ程度、全長が２０ｃｍ程度、幅寸が２．５ｃｍ程度の薄くて細長い平板２の中央部が、若干上方に突き出す平坦な突出平坦面２１に形成されている。その突出平坦面２１の中央に雌ネジの支持体雌ネジ２０が形成され、その支持体雌ネジ２０に前記支柱１の支柱雄ネジ１０が螺合自在となっている。この平板２Ｂの支持体２によれば、組立て完成後は、テーブル４の上にこの卓上仕切りを載置するだけで簡単に空間６、６を仕切ることができる（図７、図８、図１０）。
なお、上述した支持体２として採用されるクランプ２Ａと平板２Ｂを、一対の支柱１、１に別々に取付けて支持する形態でも実施可能である。
【００２３】
吊下げ棒３について説明する（図２Ｃ）。
この吊下げ棒３は、鉄製又はステンレス製の丸棒により、左右の端部棒体３２、３２と、その中間に配置の中央棒体３３の３本１組に分割して構成されている。
中央棒体３３は、直径が０．５ｃｍ程度で長さが３２ｃｍ程度、左右の端部棒体３２、３２は各々直径が０．３ｃｍ程度で長さが３０ｃｍ程度のコンパクトサイズに形成されている。また、中央棒体３３は、左右に中空状の誘導管３５、３５が取り付けられ、中央に下向きの上部クリップ３１が設置されている。
一方、左右の端部棒体３２、３２の各基端部が雄ネジの吊下げ棒雄ネジ３０に形成され、その吊下げ棒雄ネジ３０が前記支柱雌ネジ１２に螺合自在に構成されている。前記吊下げ棒雄ネジ３０の内側近傍に、下向きの上部クリップ３１が各々設置されている。この端部棒体３２、３２の雄ネジの吊下げ棒雄ネジ３０がない反対側の内側基端部は、前記中央棒体３３の誘導管３５に容易に挿通して接続される。よって、中央棒体３３に接続された左右の端部棒体３２、３２の全長は約９０ｃｍ程度、又は短く製造した場合で約６０ｃｍ程度からの範囲内で長さ調節が可能である。上述した吊下げ棒３の３つの上部クリップ３１に、ビニール等の仕切り部材５を吊下げることができる。
【００２４】
したがって、前記の構成部材１、２、３を組立てて門型の卓上仕切りを完成した際には、ビニール等の軽量な仕切り部材５を吊下げ棒３に誰でも簡単に吊下げてテーブル４上の空間６、６を仕切ることができる。収納するに際しては、組立て手順の逆を行えばよく、仕切り部材５を取り外した後、支柱１、支持体２、吊下げ棒３の３部材を簡単に分解して小さくでき、それらの運搬も難なく行なうことができる。
【００２５】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００２６】
１      支柱
１０    支柱雄ネジ
１１    上端接続体
１２    支柱雌ネジ
１３    下端部
１４    上端部
１５    分割棒体
２      支持体
２Ａ    クランプ
２Ｂ    平板
２０    支持体雌ネジ
２１    平面突出部
３      吊下げ棒
３０    吊下げ棒雄ネジ
３１    上部クリップ
３２    端部棒体
３３    中央棒体
４      テーブル
４０    天板
５      仕切り部材
６      空間
【図１】
0003229828.tif 000003
【図２】
0003229828.tif 000004
【図３】
0003229828.tif 000005
【図４】
0003229828.tif 000006
【図５】
0003229828.tif 000007
【図６】
0003229828.tif 000008
【図７】
0003229828.tif 000009
【図８】
0003229828.tif 000010
【図９】
0003229828.tif 000011
【図１０】
0003229828.tif 000012